(57)【要約】      （修正有）【課題】遮光や目隠し等の目的に応じた位置と広さのみスクリーンを確実に配置でき、巻取り軸とボトムパイプの昇降操作を軽い力で容易に行え、ロールスクリーン装置を屋外に配設する場合に、巻取り軸やボトムパイプ，スクリーンが風や外力でばたついたり煽られないようにする。【解決手段】ガイドフレーム４と、両側端を側枠４ａ，４ａの内部に収容して横架される巻取り軸５と、巻取り軸５に懸回されるスクリーン６と、スクリーン６を常時巻取り方向へ付勢する付勢手段と、スクリーン６の下端を支持し、両側端を前記側枠４ａ，４ａの内部に収容して横架されるボトムパイプ７と、巻取り軸昇降手段２７及び巻取り軸用の第１操作手段８と、ボトムパイプ昇降手段２８及びボトムパイプ用の第２操作手段９とを備え、巻取り軸５とボトムパイプ７のそれぞれを昇降させることにより、スクリーン６をガイドフレーム４の任意の高さに任意の面積で配置できるようにする。【選択図】図１
2010163780.tif 000002
【特許請求の範囲】
【請求項１】
両側部に側枠を有する枠状のガイドフレームと、
該ガイドフレームの内部上側で、両側端を前記側枠の内部に収容して横架される巻取り軸と、
該巻取り軸に懸回されるシート状のスクリーンと、
前記巻取り軸の内部で前記スクリーンを常時巻取り方向へ付勢する付勢手段と、
前記ガイドフレームの内部下側で、前記巻取り軸から引き出された前記スクリーンの下端を支持し、両側端を前記側枠の内部に収容して横架されるボトムパイプと、
前記巻取り軸を巻昇降させる巻取り軸昇降手段及びこの巻取り軸昇降手段を操作する第１操作手段と、
前記ボトムパイプを昇降させるボトムパイプ昇降手段及びこのボトムパイプ手段を駆動する第２操作手段とを備え、
前記巻取り軸とボトムパイプのそれぞれを昇降させることにより、前記スクリーンを前記ガイドフレームの任意の高さに任意の面積で配置し得るようにした
ことを特徴とする上下開閉式ロールスクリーン装置。
【請求項２】
前記巻取り軸の昇降を前記側枠に沿って案内する巻取り軸昇降ガイド手段を備えている
ことを特徴とする請求項１に記載の上下開閉式ロールスクリーン装置。
【請求項３】
前記巻取り軸昇降ガイド手段は、前記巻取り軸の両側端から突出する支軸に枢支されるガイドローラと、前記側枠の内部で前記ガイドローラを上下方向へ案内するガイドレールとを備えている
ことを特徴とする請求項２に記載の上下開閉式ロールスクリーン装置。
【請求項４】
前記請求項１〜３のいずれかに記載の上下開閉式ロールスクリーン装置を備えたサッシ。
【発明の詳細な説明】
【技術分野】
【０００１】
本発明は、建物の窓やパーテンション等に日除けや雨除けあるいは目隠し等のプライバシーを目的に設けられるロールスクリーン装置とサッシであって、詳しくは、スクリーンの配置高さと面積を遮光や目隠し等の目的の変化に応じて自由に変更できるようにした上下開閉式ロールスクリーン装置と、この上下開閉式ロールスクリーン装置を用いたサッシに関する。
【背景技術】
【０００２】
従来の一般的なロールスクリーン装置として、建物の窓上部に取付けられる巻取り軸と、この巻取り軸に懸回されるシート状のスクリーンと、このスクリーンを巻取り軸から下方向へ繰り出すための操作コードと、巻取り軸から下方へ引き出されたスクリーンの下端を支持するボトムパイプと、前記巻取り軸の内部で前記スクリーンを常時巻取り方向へ付勢するスプリングと、同じく前記巻取り軸の内部で該巻取り軸の回転を制御するクラッチ機構とを備えたものが知られており、スプリングの付勢力に抗して巻取り軸から引き出されたスクリーンをクラッチ機構が任意の位置に停止させ、またクラッチ機構による停止状態を解除して、スクリーンをスプリングの付勢力によって巻取り軸に巻き上げるようにしている（例えば、特許文献１参照）。
【０００３】
そのほか、巻取り軸用の昇降コードを巻取り軸の内部に挿通し、昇降コードの中間部２箇所を巻取り軸の上方へ引き出して窓枠の上枠に設けた滑車に掛け渡し、巻取り軸の一側端から下方へ引き出した昇降コードの端部を操作することにより、巻取り軸を昇降させて窓の下側部分のみ覆うことができるようにしたブラインドも提案されている（例えば、特許文献２参照）。
【先行技術文献】
【特許文献】
【０００４】
【特許文献１】特許第２８６０２３０号公報
【特許文献２】実開昭６３−１５６３９９号公報
【発明の概要】
【発明が解決しようとする課題】
【０００５】
特許文献１のロールスクリーン装置では、巻取り軸が建物の窓の上部壁や窓枠の上枠に固定され、スクリーンはこの巻取り軸に懸回される構造であるため、例えば目隠しを目的に、巻取り軸から離れた下方の一部のみ遮蔽したい場合でも、巻取り軸から目的の遮蔽部分までのすべてをスクリーンで覆わなければならないという不具合がある。さらに特許文献１は、遮蔽を目的としない上部をスクリーンで遮ることから採光や採熱が妨げられ、室内が必要以上に暗くなったり寒くなるという弊害を生じる。
【０００６】
特許文献２のブラインドは、巻取り軸を昇降できるようして上記した特許文献１の欠点を解消するようにしたものであるが、特許文献２のブラインドやボトムパイプは巻取り軸から吊り下げられるため、巻取り軸を昇降させるとボトムパイプも一体に昇降してしまうことから、ブラインドの位置決め、すなわちブラインドを所要の高さで所要の大きさに設定することが困難である。
また、大きな窓ではブラインド全体も大きく重いものとなるが、巻取り軸の昇降コードには、巻取り軸とブラインドとボトムパイプの荷重が作用するため、これらを吊り上げるには相当な力で昇降コードを操作しなければならないという困難が予想される。
【０００７】
さらに特許文献２では、巻取り軸を任意の位置に停止させるために、巻取り軸の内部にリフトロック装置を設けるが、このリフトロック装置は、昇降コードを把持することによって巻取り軸を停止させることから、巻取り軸の昇降と同様に、巻取り軸とブラインドとボトムパイプの荷重が昇降コードを通してリフトロック装置に作用する。このため、リフトロック装置が昇降コードを摩擦力で把持するといった安直な構造だと、昇降コードが滑って巻取り軸がずり滑り落ちてしまうことが予想され、また昇降コードを確実に把持するにはリフトロック装置が大型化してしまい、巻取り軸に収容することが困難になることが予想される。
【０００８】
また、特許文献２のブラインドは、巻取り軸とブラインドとボトムパイプの全体を単に昇降コードで吊り下げるだけであるから安定性がわるく、昇降する際にこれらが揺れ動いて操作性を損なう。特に、日光を遮断して室内の温度上昇を防ぐには、スクリーン装置を屋外である窓の外に配設することが効果的であるが、スクリーン装置を屋外に配設した場合には、巻取り軸やブラインド，ボトムパイプが風やその他の外力を受けて煽られたりバタ付く虞があり、巻取り軸やボトムパイプを昇降させる際には一層の妨げとなる。
【０００９】
本発明は、かかる実情を背景にしてなされたもので、その目的とするところは、遮光や目隠し等の目的に応じた位置と広さのみスクリーンを配置することを可能としつつ、上記した特許文献２の不具合を解消することのできる上下開閉式ロールスクリーン装置とこの上下開閉式ロールスクリーン装置を備えたサッシを提供ことにある。
【課題を解決するための手段】
【００１０】
上述の目的を達成するため、本発明の上下開閉式ロールスクリーン装置は、両側部に側枠を有する枠状のガイドフレームと、該ガイドフレームの内部上側で、両側端を前記側枠の内部に収容して横架される巻取り軸と、該巻取り軸に懸回されるシート状のスクリーンと、前記巻取り軸の内部で前記スクリーンを常時巻取り方向へ付勢する付勢手段と、前記ガイドフレームの内部下側で、前記巻取り軸から引き出された前記スクリーンの下端を支持し、両側端を前記側枠の内部に収容して横架されるボトムパイプと、前記巻取り軸を昇降させる巻取り軸昇降手段及びこの巻取り軸昇降手段を操作する第１操作手段と、前記ボトムパイプを昇降させるボトムパイプ昇降手段及びこのボトムパイプ手段を駆動する第２操作手段とを備え、前記巻取り軸とボトムパイプのそれぞれを昇降させることにより、前記スクリーンを前記ガイドフレームの任意の高さに任意の面積で配置し得るようにしたことを特徴としている。
【００１１】
また、本発明の上下開閉式ロールスクリーン装置は、巻取り軸の昇降を側枠に沿って案内する巻取り軸昇降ガイド手段を追加することも有益である。
巻取り軸昇降ガイド手段は、巻取り軸の両側端から突出する支軸に枢支されるガイドローラと、側枠の内部でこのガイドローラを上下方向へ案内するガイドレールの構成とすることができる。
【００１２】
本発明の上下開閉式ロールスクリーン装置は、ガイドフレームの内部上側でスクリーンを懸回した巻取り軸が、第１操作手段の操作により巻取り軸昇降手段を介して両側枠の間を案内されながら昇降し、またガイドフレームの内部下側でスクリーンの下端を坦持するボトムパイプが、第２操作手段の操作によりボトムパイプ昇降手段を介して両側枠の間を案内されながら昇降し、巻取り軸とボトムパイプとの間にスクリーンが配設される。
【００１３】
スクリーンの広がり面積は巻取り軸とボトムパイプの間隔によって異なり、また巻取り軸とボトムパイプの停止位置によって、スクリーンが配置される高さが異なる。スクリーンには、巻取り軸内部の付勢手段が常時巻取り方向へ作用するため、スクリーンは巻取り軸とボトムパイプとの間に弛みなく張設される。
【００１４】
巻取り軸とボトムパイプは、第１操作手段と第２操作手段の操作によって、それぞれガイドフレーム内側の任意の高さに移動し、スクリーンは、ガイドフレームの内側で遮光や目隠し等の目的に応じた位置（高さ）で必要な広さ（面積）だけ配置される。
また、スクリーンの位置（高さ）や広さ（面積）を変更したい場合には、第１操作手段と第２操作手段を操作して、巻取り軸とボトムパイプの高さ位置を変えることにより対応が可能である。
【００１５】
このように、本発明のスクリーンは、窓やパーテンションの遮光や目隠しをしたい目的に応じた位置に必要な広さで必要最小限に配置される。したがって、遮蔽が不要であったりあるいは遮蔽したくない箇所にはスクリーンを広げないで済む。これにより、室内への採光や採熱が意に反して妨げられることはなく、室内が必要以上に暗くなったり寒くなるといった不具合がなくなる。
【００１６】
また、本発明の上下開閉式ロールスクリーン装置を窓やパーテンションあるいはガラス壁の一部に適用し、スクリーンを窓やパーテンション、ガラス壁の中間部に位置させて、これらの上下部を分断して解放したり、あるいは窓やパーテンション，ガラス壁の下部に位置させて、これらの上部と中間部と連続して解放するといった使い方ができる。
【００１７】
さらに、本発明の上下開閉式ロールスクリーン装置は、巻取り軸とボトムパイプのそれぞれを他方に関わりなく単独で昇降させるので、ブラインドの位置決めが容易となる。また、巻取り軸とボトムパイプの両側端を側枠の内部に位置させることから、巻取り軸とボトムパイプは側枠に沿って昇降する。
巻取り軸とボトムパイプのいずれか一方が他方に接近する昇降では、一方に自身の荷重のみが作用し、またいずれか一方が他方から離反する昇降では、一方に自身の荷重とスクリーンを引き出す程度の抵抗しかかからない。したがって、巻取り軸とボトムパイプのいずれも小さな力で容易に操作できる。
【００１８】
また、本発明のサッシは、上記した本発明のいずれかの上下開閉式ロールスクリーン装置を備えたことを特徴としている。この場合に、サッシの一側部に上下開閉式ロールスクリーン装置を一体または別体に設ける。サッシは、建物の壁に開設したサッシ取付け用の開口部に組付けされ、またロールスクリーン装置は建物の壁の外側に配置される。
【発明の効果】
【００１９】
本発明の上下開閉式ロールスクリーン装置によれば、巻取り軸とボトムパイプのそれぞれを昇降させるので、スクリーンの位置決めが容易であり、スクリーンを窓やパーテンションの遮光や目隠等の目的に応じた位置に必要な広さで簡便に設定することができる。
また、巻取り軸とボトムパイプを昇降する場合に、巻取り軸とボトムパイプのいずれか一方が他方に接近する昇降では、一方に自身の荷重のみが作用し、いずれか一方が他方から離反する昇降では、一方に自身の荷重とスクリーンを引き出す程度の抵抗しかかからない。したがって、ロールスクリーン装置が大型であっても、巻取り軸とボトムパイプのいずれも小さな力で容易に操作できる。
【００２０】
さらに、巻取り軸とボトムパイプはそれぞれ側枠に沿って昇降するので安定性に優れ、昇降時に巻取り軸やボトムパイプが揺れ動くといった不具合がない。したがって、ロールスクリーン装置を屋外である窓の外に配設した場合にも、風やその他の外力によって巻取り軸やボトムパイプ，ブラインドが煽られたりバタ付くこと有効に防止し、巻取り軸やボトムパイプの昇降する際の影響も極力抑えることができる。
また、巻取り軸とボトムパイプは、巻取り軸昇降手段やボトムパイプ昇降手段との連結によって昇降位置を保持されるので、巻取り軸にクラッチ機構やリフトロック装置を設ける必要がなく、巻取り軸を軽量で簡素な構造とすることができ、しかも巻取り軸の昇降をより軽い操作で行うことができる。
【００２１】
さらに、巻取り軸の昇降を側枠に沿って案内する巻取り軸昇降ガイド手段を設けたり、この巻取り軸昇降ガイド手段を、巻取り軸の両側端から突出する支軸に枢支されるガイドローラと、側枠の内部でガイドローラを上下方向へ案内するガイドレールとの組み合わせとすることにより、巻取り軸の昇降をよりブレなく安定して行うことができる。
【００２２】
また、本発明のサッシによれば、上記した特徴のある上下開閉式ロールスクリーン装置のいずれかを備えているためにサッシとしての付加価値が高く、サッシを使用するにあたってロールスクリーン装置の持つ高い利便性が一体に得られる。
【図面の簡単な説明】
【００２３】
【図１】本発明の第１実施例を示すロールスクリーン装置を室内側から見た正面図である。
【図２】本発明の第１実施例を示すロールスクリーン装置を屋外側から見た背面図である。
【図３】本発明の第１実施例を示すロールスクリーン装置の断面側面図である。
【図４】本発明の第１実施例を示すロールスクリーン装置の断面底面図である。
【図５】本発明の第２実施例を示すロールスクリーン装置の断面側面図である。
【図６】本発明の第２実施例を示すロールスクリーン装置の断面底面図である。
【発明を実施するための形態】
【００２４】
以下、本発明の各実施例を図面に基づいて説明する。
図１〜図４の第１実施例に示す上下開閉式のロールスクリーン装置１は、サッシ（図示しない）を組付けするための開口部２を開設した建物の壁３の外側に枠状のガイドフレーム４が固着されており、このガイドフレーム４の内部に、巻取り軸５とシート状のスクリーン６とボトムパイプ７とが設けられている。建物の壁３の内側である室内には、巻取り軸３を操作するための第１操作手段８と、ボトムパイプ７を操作するための第２操作手段９とが配設されており、屋外に配設したロールスクリーン装置１の巻取り軸５とボトムパイプ７を室内の第１，第２操作手段８，９でそれぞれに昇降させて、スクリーン６の高さと広さとを自由に変更できるようにしている。
【００２５】
前記ガイドフレーム４は、断面Ｌ字状の金属板を用いて左右の側枠４ａ，４ａと上枠４ｂ及び下枠４ｃを形成しており、側枠４ａ，４ａの内部には、それぞれ２つのエンドレスベルト１０，１１と２条のガイドレール１２，１２とが縦方向に設けられている。
上枠４ｂの内部には、２つのギアボックス１３，１４とこのギアボックスを貫通して上枠４ｂの両端部近傍に至る２つの動力伝達軸１３ａ，１４ａとが設けられている。動力伝達軸１３ａ，１４ａの両端は、図示しないブラケットを用いてガイドフレーム４に支持されており、巻取り軸５の昇降に用いる一方の動力伝達軸１３ａの両端近傍にはプーリ１５，１５が固着され、ボトムパイプ７の昇降に用いる他方の動力伝達軸１４ａの両端近傍にはプーリ１６，１６が固着されている。
【００２６】
エンドレスベルト１０，１１は、ガイドフレーム４の厚さ方向（室内外方向）に位相をずらせて配設されており、巻取り軸５の昇降に用いる外側のエンドレスベルト１０は、上枠４ｂから開口部２の中間部よりやや下側までの上下長であるのに対し、ボトムパイプ７の昇降に用いる内側のエンドレスベルト１１は、これよりも長い上枠４ｂから下枠４ｃに亘る上下長に形成されている。
なお本発明は、巻取り軸側のエンドレスベルト１０を、図３の断面側面図に二点鎖線で示すように、ボトムパイプ用のエンドレスベルト１１と同一長さに延長することも妨げない。
【００２７】
巻取り軸側のエンドレスベルト１０は、上端を動力伝達軸１３ａのプーリ１５に懸装され、下端を側枠４ａに支持されたプーリ１７に懸装されている。また、ボトムパイプ用のエンドレスベルト１１は、上端を動力伝達軸１４ａのプーリ１６に懸装され、下端を側枠４ａに支持されたプーリ１８に懸装されている。
【００２８】
前記巻取り軸５は、前記ガイドフレーム４の内部上側で両側端を前記側枠４ａ，４ａの内部に収容して横架されており、巻取り軸５の胴部に前記スクリーン６が懸回されている。巻取り軸５の外側及び下側と両側端は化粧板２０にて覆われており、屋外にさらされる巻取り軸５とスクリーン６が極力塵埃や雨滴を受けないようにしている。
巻取り軸５の両側端には、支軸５ａ，５ａが化粧板２０を貫通して設けられ、これら支軸５ａ，５ａは巻取り軸用のエンドレスベルト１０に連結されており、巻取り軸５は、エンドレスベルト１０の回動によってガイドフレーム４の内側を昇降するようになっている。また巻取り軸５には、ゼンマイ等を用いた付勢手段（図示しない）が内蔵されており、スクリーン６を常時巻取り方向へ付勢している。
【００２９】
化粧板２０の側端には、それぞれ３つの支軸２１ａが突設され、該支軸２１ａの先端それぞれに、側枠４ａ内部のガイドレール１２，１２を転動するガイドローラ２１が枢支されており、これらガイドレール１２，１２と３つのガイドローラ２１，２１，２１とで巻取り軸昇降ガイド手段２２が構成されている。
【００３０】
前記ボトムパイプ７は、前記ガイドフレーム４の内部下側で両側端を前記側枠４ａ，４ａの内部に収容して横架されており、その胴部には前記巻取り軸５から引き出されたスクリーン６の下端が固着されている。
ボトムパイプ７の両側端には支軸７ａ，７ａが突設され、これら支軸７ａ，ａ７はボトムパイプ用のエンドレスベルト１１に連結されており、ボトムパイプ７は、エンドレスベルト１１の回動によってガイドフレーム４の内側を昇降するようになっている。
【００３１】
前記建物の壁３には、巻取り軸５に用いる伝達軸２３とボトムパイプ７に用いる伝達軸２４とが、それぞれ両端を屋外及び室内に突出させて設けられており、巻取り軸用の伝達軸２３の屋外側の端部は前記ギヤボックス１３に連結され、またボトムパイプ用の伝達軸２４の屋外側の端部は前記ギヤボックス１４に連結されている。
伝達軸２３，２４の屋内側の端部には、作動力変換ボックス２５，２６が連結されており、巻取り軸用の一方の作動力変換ボックス２５の下部には前記第１操作手段８が、またボトムパイプ用の他方の作動力変換ボックス２６の下部には前記第２操作手段９がそれぞれ取付けられている。
【００３２】
第１操作手段８には、比較的重量のある巻取り軸５を容易に昇降させることができるように、大きなトルクを発生できるクランクハンドルが用いられ、また第２操作手段９には、ボトムパイプ７の重量が軽いことからチェーンが用いられている。
作動力変換ボックス２５，２６は、第１操作手段８，９から入力された縦方向の回転力を、ベベルギア等を用いて横方向の回転力変換してそれぞれのギヤボックス１３，１４に伝達するもので、作動力変換ボックス２５と伝達軸２３，ギヤボックス１３，動力伝達軸１３ａ，プーリ１５，１７及びエンドレスベルト１０とで本実施例の巻取り軸昇降手段２７が構成され、また作動力変換ボックス２６と伝達軸２４，ギヤボックス１４，動力伝達軸１４ａ，プーリ１６，１８及びエンドレスベルト１１とで本実施例のボトムパイプ昇降手段２８が構成される。
【００３３】
つぎに、以上のように構成された作用を説明する。
室内に配置した巻取り軸用の第１操作手段８を一方向へ回転させると、その回転力は巻取り軸昇降手段２７の作動力変換ボックス２５で横向きに変換されてギアボックス１３に入り、さらに動力伝達軸１３ａ，１３ａとプーリ１５，１５を通してエンドレスベルト１０，１０を一方向に回動させ、両側端をエンドレスベルト１０，１０に連結した巻取り軸５を上昇または下降のいずれかにいずれが一方へ作動させる。
また、前記第１操作手段８を他方向へ回転させると、逆向きの回転力が巻取り軸昇降手段２７を通して巻取り軸５に入り、該巻取り軸５を上記とは逆の方向へ作動させる。
【００３４】
一方、室内に配置したボトムパイプ用の第２操作手段９を一方向へ回転させると、その回転力は巻取り軸昇降手段２８の作動力変換ボックス２６で横向きに変換されてギアボックス１４に入り、さらに動力伝達軸１４ａ，１４ａとプーリ１６，１６を通してエンドレスベルト１１，１１を一方向に回動させ、両側端をエンドレスベルト１１，１１に連結したボトムパイプ７を上昇または下降のいずれかにいずれが一方へ作動させる。
また、前記第２操作手段９を他方向へ回転させると、逆向きの回転力がボトムパイプ昇降手段２８を通してボトムパイプ７に入り、該ボトムパイプ７を上記とは逆の方向へ作動させる。
【００３５】
巻取り軸５とボトムパイプ７は、両側端をガイドフレーム４の側枠４ａ，４ａの内部に収容し、該側枠４ａ，４ａの内部でエンドレスベルト１０，１０，１１，１１と連結することによって、巻取り軸５とボトムパイプ７を側枠４ａ，４ａに沿って昇降させるので、巻取り軸５やボトムパイプ７の傾きやブレ等の不具合がなく、またスクリーン６によじれやたるみを生じる虞もない。
さらに、ボトムパイプ７よりも重量のある巻取り軸５では、両側端に設けた各巻取り軸昇降ガイド手段２２のガイドローラ２１が巻取り軸５の上昇または下降に伴ってガイドレール１２を転動し、巻取り軸５の上昇と下降を良好に案内する。
【００３６】
図１〜図３では、巻取り軸５が略上昇限に位置し、またボトムパイプ７も略下昇限に位置していて、巻取り軸５とボトムパイプ７との間に張設されたスクリーン６が、サッシ組付け用の開口部２の全体を覆った状態を示している。
この状態において、巻取り軸用の第１操作手段８を巻取り軸５の下降方向へ回転させると、巻取り軸５がスクリーン６の上部を巻き込みながら下降し、下降が進むに連れてサッシ組付け用の開口部２の上部が徐々に解放されていき、巻取り軸５を所望の位置で停止させることにより、下方のボトムパイプ７との間に面積を縮小したスクリーン６が張設される。
【００３７】
また、ボトムパイプ用の第２操作手段９をボトムパイプ７の上昇方向へ回転させると、ボトムパイプ７が上昇するに連れてスクリーン６の上部が巻取り軸５に巻き取られ、同時サッシ組付け用の開口部２の下部が徐々に解放されていき、ボトムパイプ７を所望の位置で停止させることにより、上方の巻取り軸５との間に面積を縮小したスクリーン６が張設される。
【００３８】
本実施例はこのように、室内の巻取り軸５とボトムパイプ７のいずれか一方または双方昇降させることにより、屋外のスクリーン６を所望の位置（高さ）で所望の広さ（面積）だけ配置することができ、しかも本実施例の特徴的構成から、巻取り軸５とボトムパイプ７の昇降を軽い操作力で確実且つ簡便に行えるといったメリットがある。
また、本実施例の大まかな使用態様としては、スクリーン６を窓の上部・中間部・下部のいずれかに位置させるものであるが、特にスクリーン６を、窓の中間部または下部のみに好みの大きさで位置させる態様は、巻取り軸を窓の上部に固定して使用する従来のものではなせなかった開放感や楽しみが味わえる。
【００３９】
図５，図６に示す第２実施例は、パーテーションや店舗等の外壁の一部を二重ガラス３０，３０とし、両ガラス３０，３０の間に空間部を設定して、この空間部分に第１実施例と同様のロールスクリーン装置１を配設したものであり、第１実施例に較べて、伝達軸２３，２４が建物の壁を貫通しない分、伝達軸２３，２４の長さが短くなっており、その他は第１実施例と同様に構成されている。
【００４０】
ロールスクリーン装置１を二重ガラス３０，３０の間に配置した本実施例では、例えばビル内のオフィスや店舗を仕切るパーテーションに適用し、スクリーン６を目線の高さに位置させることにより、室内のプライバシーを保ちながらスクリーン６の上下に解放した部分から室外を見通したり採光や再熱を図ることが可能であり、またこのロールスクリーン装置１入りの二重ガラス３０，３０が道路に面した飲食店等の店舗の外壁の一部とした場合には、スクリーン６を二重ガラス３０，３０の下側に配置して店内の客席の足元付近を遮蔽することにより、飲食を楽しむ顧客のプライバシーを保ちながら店内の景観を視覚的に訴えるといった使い方もできる。
【符号の説明】
【００４１】
１…上下開閉式のロールスクリーン装置
２…サッシ組付け用の開口部
３…建物の壁
４…ガイドフレーム
４ａ…側枠
４ｂ…上枠
４ｃ…下枠
５…巻取り軸
６…シート状のスクリーン
７…ボトムパイプ
８…第１操作手段
９…第２操作手段
１０，１１…エンドレスベルト
１２…ガイドレール
１３，１４…ギアボックス
１３ａ，１４ａ…動力伝達軸
１５，１６，１７，１８…プーリ
２０…化粧板
２１…ガイドローラ
２１ａ…支軸
２２…巻取り軸昇降ガイド手段
２３，２４…伝達軸
２５，２６…作動力変換ボックス
２７…巻取り軸昇降手段
２８…ボトムパイプ昇降手段
３０…ガラス
【図１】
2010163780.tif 000003
【図２】
2010163780.tif 000004
【図３】
2010163780.tif 000005
【図４】
2010163780.tif 000006
【図５】
2010163780.tif 000007
【図６】
2010163780.tif 000008